(57)【要約】【課題】  手元側竿体の内径が異なるものであっても適合可能な栓体を提供する。【解決手段】  一番竿体１に取付け固定され手元側竿体４の竿先端側開口に内嵌される外周面を備えた玉の柄用口ゴム５であって、その玉の柄用口ゴム５の外周面の円周方向に沿った複数箇所に、軸線方向に沿った突条５ａを形成するとともに、突条５の断面を矩形に形成してある。【選択図】        図２
2007143474.tif 000002
【特許請求の範囲】
【請求項１】
手元側竿体の竿先端側開口に内嵌される外周面を備えた栓体であって、
前記外周面の円周方向に沿った複数箇所に、軸線方向に沿った突条を形成するとともに、前記突条の半径方向先端側部分における円周方向に沿った幅寸法と、前記突条の半径方向基端側部分における円周方向に沿った幅寸法とを、同一の又は略同一の長さのものに設定して、前記突条の断面を矩形に形成してある栓体。
【請求項２】
前記断面の高さ寸法を前記幅寸法より大きくしてある請求項1記載の栓体。
【請求項３】
前記断面の高さ寸法より前記軸線方向に沿った長さ寸法を長くしてある請求項２記載の栓体。
【請求項４】
前記栓体が、小径竿体を大径の前記手元側竿体内に収納した状態でその手元側竿体の竿先端側開口に装着される請求項1から３のうちのいずれか一つに記載の釣り竿用の口栓。
【請求項５】
前記栓体が、一番竿体の竿先端に取り付けてある請求項1から３のうちのいずれか一つに記載の玉の柄用口ゴム。
【請求項６】
前記玉の柄用口ゴムを備えた請求項５記載の玉の柄。
【発明の詳細な説明】
【技術分野】
【０００１】
本発明は、複数本の竿体を伸縮可能に備える玉の柄、又は、渓流竿等に使用される栓体に関する。
【背景技術】
【０００２】
上記玉の柄、及び、渓流竿においては、一番竿体を含む複数本の竿体を手元側竿体の中に収納した状態で栓体を手元側竿体の竿先側開口内に内嵌させて、手元側竿体内に収納した一番竿体等が脱出することを阻止する構成を採っている。
上記栓体における、手元側竿体の竿先側開口内に内嵌されるところの外周面は、凹凸のない円弧面に形成されており、その外径は軸線方向に沿って徐々に拡径する緩円錐台状のものに形成されていた（特許文献１参照）。
【０００３】
【特許文献１】特開２００４−１２９５３２号公報（段落番号〔００２２〕、図３）
【発明の開示】
【発明が解決しようとする課題】
【０００４】
上記した構成においては、栓体としてゴム等の弾性材を使用している場合であっても、栓体の外周面は僅かに傾斜する緩傾斜面に形成されているだけである。その為に、手元側竿体の竿先側開口の内径変化に対する追従性が十分でない面があった。
したがって、手元側竿体の内径が異なる場合には、異なる内径の手元側竿体毎に、夫々、その内径に適合した栓体を備える必要があり、専用の栓体を多数形成することに対する製作上の改善の余地があった。
【０００５】
本発明の目的は、手元側竿体の内径が異なるものであっても適合可能な栓体を提供する点にある。
【課題を解決するための手段】
【０００６】
〔構成〕
請求項１に係る発明の特徴構成は、前記外周面の円周方向に沿った複数箇所に、軸線方向に沿った突条を形成するとともに、前記突条の半径方向先端側部分における円周方向に沿った幅寸法と、前記突条の半径方向基端側部分における円周方向に沿った幅寸法とを、同一の又は略同一の長さのものに設定して、前記突条の断面を矩形に形成してある点にあり、その作用効果は次の通りである。
【０００７】
〔作用〕
手元側竿体の先端内周面に内嵌するものとして、栓体の外周面に突条を形成した。この突条は、矩形断面を呈している。
したがって、突条が手元側竿体の先端内周面に接触した場合に、その先端内周面より押さえ反力を受けると、隣接する突条（円周方向）側に倒れを生じ、手元側竿体の先端内周面に適合した状態になる。
このような構成によって、突条の外周面径に比べて小さな内径を有する手元側竿体にも、この栓体を適用することが可能になる。
【０００８】
〔効果〕
したがって、手元側竿体の先端内周面の内径が異なるものであっても、栓体の兼用が可能になり、手元側竿体毎の専用の栓体を装備する必要がない。
【０００９】
請求項２に係る発明の特徴構成は、請求項１にかかる発明において、前記断面の高さ寸法を前記幅寸法より大きくしてある点にあり、その作用効果は次の通りである。
【００１０】
〔作用効果〕
つまり、高さ寸法が幅寸法より高く形成されているので、突条は倒れを生じ易く、手元側竿体の先端内周面の内径が異なるものへの対応性を高くできる。
【００１１】
請求項３に係る発明の特徴構成は、請求項２に係る発明において、前記断面の高さ寸法より前記軸線方向に沿った長さ寸法を長くしてある点にあり、その作用効果は次の通りである。
【００１２】
〔作用効果〕
つまり、高さより長く設定された軸線方向に沿った長い部分を、手元側竿体の先端内周面の奥まで接触させることができるので、突条の接触域を大きくでき、手元側竿体への栓体の装着状態を強固なものにできる。
【００１３】
請求項４に係る発明の特徴構成は、前記栓体が、小径竿体を大径の前記手元側竿体内に収納した状態でその手元側竿体の竿先端側開口に装着される釣り竿用口栓である点にあり、その作用効果は次の通りである。
【００１４】
〔作用効果〕
ここで、栓体は、小径竿体を大径の前記手元側竿体内に収納した状態でその手元側竿体の竿先端側開口に装着されるところの口栓として使用される。そして、口栓において前記した矩形断面を有する突条を形成してあるので、手元側竿体の先端部内径が異なるものにも使用できる兼用効果を発揮させることができる。
【００１５】
請求項５に係る発明の特徴構成は、前記栓体が、一番竿体の竿先端に取り付けてある玉の柄用口ゴムである点にあり、その作用効果は次の通りである。
【００１６】
〔作用効果〕
つまり、栓体は、一番竿体の竿先端に取り付ける口ゴムとして使用される。そして、口ゴムにおいて前記した矩形断面を有する突条を形成してあるので、手元側竿体の先端部内径が異なるものにも使用できる兼用効果を発揮させることができる。
【００１７】
請求項６に係る発明の特徴構成は、玉の柄が前記口ゴムを備えている点にあり、その作用効果は次の通りである。
【００１８】
〔作用効果〕
つまり、前記した突条を形成した口ゴムは、手元側竿体の先端部内径が異なる玉の柄にも適用できるので、兼用効果を発揮させることができる。
【発明を実施するための最良の形態】
【００１９】
〔第１実施形態〕
振出式の玉の柄Ａについて説明する。
振出式の玉の柄Ａは、図１に示すように、一番竿体１と、二番竿体２、三番竿体３、手元側竿体４とを備えて、構成されている。一番竿体１には栓体としての口ゴム５を装備し、手元側竿体４の竿尻端には尻栓６が設けてある。
玉の柄Ａは、一番竿体１、二番竿体２、三番竿体３を手元側竿体４内に収納する収縮状態と一番竿体１、二番竿体２、三番竿体３を手元側竿体４より引き出した伸長状態とに切換可能に構成されている。
【００２０】
一番竿体１等の各竿体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００２１】
一番竿体１の先端には、魚を掬い取るタモ網Ｂが取付られる。その取り付け構造を説明する。図１及び図２に示すように、タモ網Ｂは、網本体７と枠体８とからなり、枠体８に一番竿体１への装着部８Ａが形成されている。装着部８Ａには雄ネジ軸８ａが突設されている。
一方、図２（イ）に示すように、一番竿体１の先端内には取付用スリーブ９が嵌め込み固定してあり、その取付用スリーブ９の内周面に雌ネジ部９ａが形成されている。
以上のようなネジ部構造によって、図２（ロ）に示すように、タモ網Ｂの雄ネジ軸８ａを取付用スリーブ９の雌ネジ部９ａに螺合させることによって、タモ網Ｂを玉の柄Ａに取り付けることができる。
【００２２】
口ゴム５と一番竿体１との取り付け構造について説明する。図２、図３に示すように、口ゴム５は、その外周面に、前端側から後端側に掛けて、大径摘まみ部５Ａと、中径手元側竿体用嵌合部５Ｂと、小径逃げ部５Ｃとを形成して構成されている。口ゴム５の内周面には、一番竿体１の竿先端部の外周面１Ａを外嵌保持する摩擦保持部５Ｄが形成されている。
【００２３】
図２、図３に示すように、大径摘まみ部５Ａには、ローレット加工が施してあり、摘まみ易い構造になっている。また、中径手元側竿体用嵌合部５Ｂから小径逃げ部５Ｃまでには、次ぎのような突条５ａが複数個形成されている。
突条５ａは、中径手元側竿体用嵌合部５Ｂから小径逃げ部５Ｃにおいて、円周方向複数箇所に亘って形成してあり、矩形状の断面を備えるとともに、矩形状の断面を維持しながら、中径手元側竿体用嵌合部５Ｂから小径逃げ部５Ｃに亘って軸線方向に沿って配置されている。
【００２４】
突条５ａの断面寸法は次ぎのようになっている。図３に示すように、突条５ａの半径方向先端側部分における円周方向に沿った幅寸法Ｔ１と、突条５ａの半径方向基端側部分における円周方向に沿った幅寸法Ｔ２とを、同一の又は略同一の長さのものに設定してある。また、断面の高さ寸法Ｈを幅寸法Ｔ１、Ｔ２より大きくしてある。断面の高さ寸法Ｈより軸線方向に沿った長さ寸法Ｌを長くしてある。
【００２５】
上記したように、突条５ａは、断面矩形に形成され、先端側の幅寸法Ｔ１と基端側の幅寸法Ｔ２とを同一または略同一の長さのものに設定しているので、突条５ａが手元側竿体４の竿先側開口の内周面に当接した場合に、その内周面より押さえ荷重を受けて圧縮されるだけでなく、長柱のように倒れを生じ易くなっている。
このように、倒れを生じ易くなっているので、竿先側開口の内径が異なる手元側竿体４にも、この口ゴム５を使用することが可能になる。
【００２６】
口ゴム５はゴム製のものであり、アクリロニトリルーブタジエンゴム（ＮＢＲ）を材料とし、硬度としてはＪＩＳ硬さとして３０〜９０のものを使用できる。但し、このゴムに相当する硬度を有するものであれば、合成樹脂を材料とすることもできる。
突条５ａの設置個数としては、手元側竿体４の竿先端開口径に応じて増加する方向に変動するが、総じて、１２〜６０個の中から選択することができる。
また、突条５ａの幅寸法Ｔ１、Ｔ２としては、０．５ｍｍ〜２．０ｍｍ程度のものを選択し、高さＨとしては１ｍｍ〜１０ｍｍ程度のものを選択することができる。
【００２７】
図３に示すように、突条５ａは、中径手元側竿体用嵌合部５Ｂにおいて一定高さＨに維持され、小径逃げ部５Ｃにおいて傾斜面に沿うように高さを低くしている。このように、小径逃げ部５Ｃにおいて徐々に高さを低くしているので、上記のように、高さが低くなると、低くなるほど突条５ａは小径逃げ部５Ｃでの先端位置を中径手元側竿体用嵌合部５Ｂ側に後退させる構成を採ることとなる。
【００２８】
図２（ロ）に示すように、一番竿体１にタモ網Ｂを取り付けた際には、タモ網Ｂの装着部８Ａの側面８ｂを、口ゴム５の前面５ｄに当接させている。口ゴム５は前記したようにゴム製でありその弾性変形性により軸線方向に圧縮される。これによって、口ゴム５はタモ網Ｂと一番竿体１とに離間する方向の力を作用させるところから、タモ網Ｂ側のネジ軸８ａとスリーブ９との螺合状態を維持する機能を発揮することになる。
【００２９】
玉の柄Ａは振出竿式のものであるので、各竿体を伸長させた使用状態から各竿体を短縮させた状態とに切り換えられるものであるが、第２図（ロ）に示すように収縮状態に設定すると、手元側竿体４の竿先端開口が口ゴム５の中径手元側竿体用嵌合部５Ｂに外嵌し、その収縮状態を維持するようになっている。
【００３０】
〔第２実施形態〕
渓流竿Ｃ等の手元側竿体４の竿先側開口を閉塞する栓体としての口栓１０について説明する。
図４に示すように、渓流竿Ｃ等は、手元側竿体４としての元竿内に二番竿体２、三番竿体３等の中竿、及び、一番竿体１としての穂先竿を収納した状態で、元竿４の竿先開口に口栓１０を装着する構成を採っている。
【００３１】
図４に示すように、口栓１０は、前記した口ゴム５と同様に、大径摘まみ部１０Ａと、中径手元側竿体用嵌合部１０Ｂと、小径逃げ部１０Ｃとを形成して構成されている。口栓１０には、口ゴム５のように、内周面側に貫通孔は設けられてはなく、中実体に形成されている。
一方、中径手元側竿体用嵌合部１０Ｂには、第１実施形態で示したと同様の突条１０ａが設けてあり、突条１０ａの個数、断面寸法は、口ゴム５と同様である。
【００３２】
つまり、口栓１０の材料として、前記した口ゴムと同様のアクリロニトリルーブタジエンゴム（ＮＢＲ）を使用してもよく、または、コルクやプライウッド等の木材質のものや、合成樹脂等を使用してもよい。
１０ａの設置個数としては、手元側竿体４の竿先端開口径に応じて増加する方向に変動するが、総じて、１２〜６０個の中から選択することができる。
また、突条１０ａの幅寸法Ｔ１、Ｔ２としては、０．５ｍｍ〜２．０ｍｍ程度のものを選択し、高さＨとしては１ｍｍ〜１０ｍｍ程度のものを選択することができる。
【００３３】
図４に示すように、渓流竿Ｃにおいては、一番竿体１の先端に回転式の糸連結部材１Ｂが取り付けてあり、この糸連結部材１Ｂに釣り糸ａが取り付けてある。そして、口栓１０を手元側竿体４の竿先側開口に取り付ける場合には、釣り糸ａを口栓１０における隣接する突条１０ａ、１０ａ同士の間隙部分を通して手元側竿体４から釣り糸ａを導出することができる。
したがって、口栓１０を取り付ける場合にも、釣り糸ａを取外す必要はない。
【００３４】
〔別実施の形態〕
（１）  一番竿体１と口ゴム５の取り付け構造としては、次ぎのようなものでもよい。前記した実施形態では、一番竿体１の竿先端外周面に口ゴム５等を外嵌するのに、口ゴム５の内周面に摩擦保持部５Ｄを形成して対応しているが、この摩擦保持部５Ｄとともに、ネジで嵌合するネジ部を並設する構成を採ってもよい。
（２）  突条５，１０の断面形状としては、必ずしも高さＨが幅寸法Ｔ１、Ｔ２より高くなくてもよく、高さＨと幅寸法Ｔ１、Ｔ２とが略同一の寸法であってもよく、矩形状の断面を呈するものであればよい。
【図面の簡単な説明】
【００３５】
【図１】玉の柄とタモ網とを示す斜視図
【図２】口ゴムと一番竿体と手元側竿体とを示し、（イ）は、口ゴムを一番竿体に取り付けた状態を示す縦断側面図、（ロ）は、玉網を一番竿体に取り付けた状態を示す縦断側面図
【図３】口ゴムを示し、（イ）は縦断側面図、（ロ）は正面図、（ハ）は突条の断面形状を示す縦断正面図
【図４】渓流竿用口栓と一番竿体と手元側竿体とを示し、口栓を手元側竿体に取り付けた状態を示す縦断側面図
【符号の説明】
【００３６】
１              一番竿体
４              手元側竿体
５，１０        栓体（口ゴム、口栓）
５Ｂ            外周面（中径手元側竿体用嵌合部）
５ａ            突条
Ｔ１、Ｔ２      幅寸法
Ｈ              高さ
【図１】
2007143474.tif 000003
【図２】
2007143474.tif 000004
【図３】
2007143474.tif 000005
【図４】
2007143474.tif 000006